(57)【要約】【課題】ドレン受けのドレン水をドレン孔から下方の所定位置に確実に滴下させることのできる自動販売機を提供する。【解決手段】ドレン孔１１ｅに上下方向に挿通するドレン孔挿通部２０ａと、ドレン孔１１ｅの上側開口縁に係止するドレン孔係止部２０ｂとを有するドレン水案内部材２０を伝って、ドレン水ＷＡがドレン孔１１ｅを通過するようにしたので、ドレン孔１１ｅを通過せずに溜まったドレン水ＷＡがドレン孔以外から漏洩し、ドレン水ＷＡが蒸発皿３０の外部に滴下することを防止できる。また、ドレン水ＷＡがドレン受け１１ｃの下面に付着することなくドレン水案内部材２０の下端まで流通するので、ドレン水ＷＡが常にドレン水案内部材２０の下端から滴下し、ドレン水ＷＡを確実に蒸発皿３０に案内することができる。【選択図】図６
2006079163.tif 000002
【特許請求の範囲】
【請求項１】
自動販売機本体内に設けられた断熱性の商品収納庫と、商品収納庫の前面を開閉する断熱性の内扉と、商品収納庫または内扉から滴下するドレン水を受容するドレン受けとを備え、ドレン受けの所定位置にはドレン水を下方に排水するドレン孔を設けた自動販売機において、
前記ドレン受けに、ドレン孔を上下方向に挿通するとともに、上端側がドレン孔の上側開口縁に係止するドレン水案内部材を設けた
ことを特徴とする自動販売機。
【請求項２】
前記ドレン水案内部材を、上下方向に延びるドレン孔挿通部と、ドレン孔挿通部の上端側から幅方向両側に延びるドレン孔係止部とから形成した
ことを特徴とする請求項１記載の自動販売機。
【請求項３】
前記ドレン水案内部材の下端側にその上部の外径よりも大きな外径を有する抜止め部を設けた
ことを特徴とする請求項１または２記載の自動販売機。
【請求項４】
前記ドレン水案内部材の内部にドレン水を流通可能な流路を設けた
ことを特徴とする請求項１、２または３記載の自動販売機。
【請求項５】
前記ドレン水案内部材を親水性の材料から形成した
ことを特徴とする請求項１、２、３または４記載の自動販売機。
【請求項６】
自動販売機本体内に設けられた断熱性の商品収納庫と、商品収納庫の前面を開閉する断熱性の内扉と、商品収納庫または内扉から滴下するドレン水を受容するドレン受けとを備え、ドレン受けの所定位置にはドレン水を下方に排水するドレン孔を設けた自動販売機において、
前記ドレン受けに、ドレン孔の開口縁から下方に延びるドレン水案内部を設けた
ことを特徴とする自動販売機。
【発明の詳細な説明】
【技術分野】
【０００１】
本発明は、缶、ビン、ペットボトル、紙パック等に封入された飲料、或いは冷凍菓子等の商品を販売する自動販売機に関するものである。
【背景技術】
【０００２】
従来、この種の自動販売機としては、前面を開口した自動販売機本体と、自動販売機本体の前面を開閉する外扉と、自動販売機本体内に設けられた断熱性の商品収納庫と、商品収納庫の前面を開閉する断熱性の内扉と、商品収納庫の前端下部に設けられて内扉に密着するパッキンとを備え、パッキンには内扉から滴下するドレン水を受容するドレン受けが一体に形成され、ドレン水をドレン受けの所定位置から蒸発皿に滴下するようにしたものが知られている（例えば、特許文献１参照。）。
【特許文献１】特開平１１−９６４５２号公報
【発明の開示】
【発明が解決しようとする課題】
【０００３】
ところで、前記ドレン受けの所定位置にはドレン受けを上下方向に貫通するドレン孔が設けられ、ドレン孔からその下方に配置した蒸発皿にドレン水を滴下するようにしているが、ドレン水が表面張力によってドレン孔の上側開口縁に留まってドレン孔を通過しない場合があり、これによりドレン水がドレン孔以外から漏洩して蒸発皿の外部に滴下するという問題点があった。
【０００４】
また、ドレン水がドレン孔を通過した場合でも、ドレン水が表面張力によってドレン孔の下側開口縁からドレン受けの下面を伝って蒸発皿の外部に滴下するという問題点があった。
【０００５】
本発明は前記問題点に鑑みてなされたものであり、その目的とするところは、ドレン受けのドレン水をドレン孔から下方の所定位置に確実に滴下させることのできる自動販売機を提供することにある。
【課題を解決するための手段】
【０００６】
本発明は前記目的を達成するために、自動販売機本体内に設けられた断熱性の商品収納庫と、商品収納庫の前面を開閉する断熱性の内扉と、商品収納庫または内扉から滴下するドレン水を受容するドレン受けとを備え、ドレン受けの所定位置にはドレン水を下方に排水するドレン孔を設けた自動販売機において、前記ドレン受けに、ドレン孔を上下方向に挿通するとともに、上端側がドレン孔の上側開口縁に係止するドレン水案内部材を設けている。
【０００７】
これにより、ドレン水はドレン孔の入口でドレン水案内部材の上端側に接触し、ドレン水案内部材に接触したドレン水はドレン水案内部材を伝ってドレン孔を通過するので、ドレン水が表面張力によってドレン孔を通過せずにドレン受けに溜まることがない。また、ドレン水はドレン水案内部材を伝ってドレン孔を通過するとともに、ドレン水案内部材の下端から滴下することから、ドレン水が表面張力によってドレン受けの下面を伝ってドレン孔の下方以外に滴下することがない。
【０００８】
また、本発明は、自動販売機本体内に設けられた断熱性の商品収納庫と、商品収納庫の前面を開閉する断熱性の内扉と、商品収納庫または内扉から滴下するドレン水を受容するドレン受けとを備え、ドレン受けの所定位置にはドレン水を下方に排水するドレン孔を設けた自動販売機において、前記ドレン受けに、ドレン孔の開口縁から下方に延びるドレン水案内部を設けている。
【０００９】
これにより、ドレン水はドレン孔の入口でドレン水案内部に接触し、ドレン水案内部に接触したドレン水はドレン水案内部を伝ってドレン孔を通過するので、ドレン水が表面張力によってドレン孔を通過せずにドレン受けに溜まることがない。また、ドレン水はドレン水案内部を伝ってドレン孔を通過するとともに、ドレン水案内部の下端から滴下することから、ドレン水が表面張力によってドレン受けの下面を伝ってドレン孔の下方以外に滴下することがない。
【発明の効果】
【００１０】
本発明の自動販売機によれば、ドレン水が表面張力によってドレン孔を通過せずにドレン受けに溜まることがなく、ドレン孔を通過したドレン水も表面張力によってドレン受けの下面を伝ってドレン孔の下方以外に滴下することがないので、ドレン水を常にドレン孔の下方の所定位置に滴下させることができ、ドレン水の漏洩を確実に防止することができる。
【発明を実施するための最良の形態】
【００１１】
図１乃至図６は本発明の一実施形態を示すもので、図１は自動販売機の全体斜視図、図２は外扉及び内扉を開放した自動販売機の全体斜視図、図３は自動販売機の側面断面図、図４はパッキンの要部斜視図、図５は内扉から滴下するドレン水をドレン受けによって受容した状態を示すパッキンの要部斜視図、図６はドレン受けからドレン水が滴下する状態を示すパッキンの要部正面断面図である。
【００１２】
この自動販売機は、前面を開口した自動販売機本体１と、自動販売機本体１の前面を開閉する外扉２と、自動販売機本体１内に設けられた断熱性の商品収納庫３と、商品収納庫３の前面を開閉する内扉４とを備え、商品収納庫３の前端下部にはパッキン１０が取付けられている。
【００１３】
自動販売機本体１は、商品収納庫３の下方に機械室１ａを有し、機械室１ａ内には商品収納庫３内の冷却ユニットに接続される図示しない冷凍機器等が収容されている。
【００１４】
外扉２は幅方向一端側を取付板２ａを介して自動販売機本体１に回動自在に取付けられ、その前面には商品サンプル２ｂ、商品選択スイッチ２ｃ、金銭投入口２ｄ、商品取出口２ｅ等が設けられている。
【００１５】
商品収納庫３は前面を開口し、商品収納庫３内には冷却器３ａ及び送風機３ｂからなる冷却ユニットが設けられている。尚、冷却ユニットの代わりにヒータを設けることも可能である。冷却ユニットの冷却器３ａは冷媒配管を介して機械室１ａに設けられた冷凍機器に接続されている。
【００１６】
内扉４は幅方向一端側を自動販売機本体１に回動自在に取付けられ、外扉２の商品取出口２ｅの後方に位置する商品搬出口４ａを有するとともに、商品搬出口４ａには上側を回動自在に支持された搬出扉４ｂが設けられている。
【００１７】
パッキン１０は商品収納庫３の前端下部に取付けられ、内扉４を閉鎖した際に内扉４と密着することにより、商品収納庫３の気密性及び断熱性を保つようになっている。このパッキン１０は合成樹脂によって形成され、商品収納庫３側に保持される硬質の本体部１１と、内扉４に接触する弾性変形可能な軟質の弾性部１２とを一体に成形してなる。本体部１１は上下方向に平板状に延び、背面側に挿入片１１ａ，１１ｂが形成され、挿入片１１ａ，１１ｂを商品収納庫３の前端下部の隙間に挿入するとともに、本体部１１の上端側と商品収納庫３の前面下部とをネジで締結することにより、パッキン１０を商品収納庫３に取付けるようになっている。また、本体部１１の下端には前方の斜め上方に延びるドレン受け１１ｃが形成され、内扉４から滴下するドレン水ＷＡを受容するようになっている。パッキン１１の両端にはドレン水ＷＡがドレン受け１１ｃから漏洩しないように防水壁１１ｄが設けられるとともに、ドレン受け１１ｃの所定位置にドレン水ＷＡを排水するためのドレン孔１１ｅが形成されている。尚、ドレン受け１１ｃはドレン孔１１ｅの位置がドレン受け１１ｃの他の部分より低くなるように、商品収納庫３に取付けられている。
【００１８】
ドレン孔１１ｅには上方からドレン水案内部材２０が挿入されている。ドレン水案内部材２０はパッキン１０より親水性の優れた樹脂、金属、ガラス等からなり、ドレン孔１１ｅに上下方向に挿通する円柱状のドレン孔挿通部２０ａと、ドレン孔挿通部２０ａの上端から幅方向両側に延びる円柱状のドレン孔係止部２０ｂとからなるＴ字型の部材によって形成されている。即ち、ドレン孔１１ｅにドレン水案内部材２０を挿入すると、ドレン孔挿通部２０ａがドレン孔１１ｅに上下方向に挿通するとともに、ドレン孔係止部２０ｂがドレン孔１１ｅの上側開口縁に係止する。尚、ドレン孔挿通部２０ａの外径はドレン孔１１ｅの内径よりも小さく形成されている。
【００１９】
ドレン孔１１ｅの下方には蒸発皿３０が設けられ、ドレン孔１１ｅから滴下するドレン水ＷＡを収容して蒸発させるようになっている。
【００２０】
以上の構成においては、図５及び図６に示すように、内扉４から滴下したドレン水ＷＡはパッキン１０のドレン受け１１ｃに受容されるとともにドレン孔１１ｅに向かって流通し、ドレン孔１１ｅの入口に到達する前にドレン水案内部材２０に接触する。ここで、ドレン水案内部材２０を設けない場合は、ドレン水ＷＡは表面張力によってドレン孔１１ｅの上側開口縁に留まろうとし、ドレン水ＷＡがドレン孔１１ｅを通過せずにドレン受け１１ｃに溜まるが、本実施形態の場合は、ドレン水案内部材２０に接触したドレン水ＷＡはドレン水案内部材２０の表面を伝ってドレン孔１１ｅを流通するため、ドレン水ＷＡがドレン孔１１ｅを流通せずにドレン受け１１ｃに溜まることがない。
【００２１】
また、ドレン水案内部材２０を設けない場合は、ドレン孔１１ｅを流通したドレン水ＷＡが表面張力によってドレン孔１１ｅの下側開口縁に付着し、そのドレン水ＷＡがドレン受け１１ｃの下面を伝って蒸発皿の外部に滴下することもあるが、本実施形態の場合は、ドレン水ＷＡはドレン水案内部材２０を伝ってドレン孔１１ｅを流通するので、ドレン水ＷＡが表面張力によってドレン受け１１ｃの下面に付着することなくドレン水案内部材２０の下端まで流通する。
【００２２】
このように、本実施形態によれば、ドレン孔１１ｅに上下方向に挿通するドレン孔挿通部２０ａと、ドレン孔１１ｅの上側開口縁に係止するドレン孔係止部２０ｂとを有するドレン水案内部材２０を伝って、ドレン水ＷＡがドレン孔１１ｅを通過するようにしたので、ドレン孔１１ｅを通過せずに溜まったドレン水ＷＡがドレン孔以外から漏洩し、ドレン水ＷＡが蒸発皿３０の外部に滴下することを防止できる。また、ドレン水ＷＡがドレン受け１１ｃの下面に付着することなくドレン水案内部材２０の下端まで流通するので、ドレン水ＷＡが常にドレン水案内部材２０の下端から滴下し、ドレン水ＷＡを確実に蒸発皿３０に案内することができる。これにより、ドレン水ＷＡが蒸発皿３０以外に滴下し、機械室１ａ等に侵入することを防止できる。
【００２３】
また、ドレン水案内部材２０をドレン孔１１ｅの上方から挿入するようにしたので、ドレン水案内部材２０を備えていない既存の自動販売機にも、ドレン水案内部材２０を容易に追加することができる。
【００２４】
また、ドレン水案内部材２０を、ドレン孔１１ｅを上下方向に挿通するドレン孔挿通部２０ａと、ドレン孔挿通部２０ａの上端から幅方向両側に延びる円柱状のドレン孔係止部２０ｂとからなるＴ字型の簡易な構造によって形成したので、ドレン水案内部材２０を容易且つ低コストに製造することが可能である。
【００２５】
また、ドレン水案内部材２０をパッキン１０より親水性の優れた材料から形成したので、ドレン水ＷＡをより円滑にドレン水案内部材２０の下端まで流通させることができる。
【００２６】
尚、図７に示すように、ドレン水案内部材４０を、ドレン孔１１ｅを上下方向に挿通するドレン孔挿通部４０ａと、ドレン孔挿通部４０ａの上端から幅方向両側に延びる円柱状のドレン孔係止部４０ｂとからなるＴ字型の部材によって形成し、ドレン孔挿通部４０ａの下端側にその上部の外径よりも大きな外径を有する抜止め部４０ｃを設けることも可能である。これにより、ドレン水案内部材４０のドレン孔挿通部４０ａをドレン孔１１ｅに挿入した後、ドレン水案内部材４０がドレン孔１１ｅから容易に抜けることがなく、出荷時の搬送や扉の開閉に伴う振動により、ドレン水案内部材４０がドレン孔１１ｅから抜け落ちることを防止することができる。
【００２７】
また、図８及び図９に示すように、ドレン水案内部材５０を、ドレン孔１１ｅを上下方向に挿通するドレン孔挿通部５０ａと、ドレン孔挿通部５０ａの上端から幅方向両側に延びるドレン孔係止部５０ｂとからなるＴ字型の部材から形成し、ドレン孔係止部５０ｂの両端からドレン孔挿通部５０ａの下端まで、ドレン水案内部材５０の内部にドレン水ＷＡを流通可能な流路５０ｃを設けることも可能である。これにより、ドレン受け１１ｃのドレン水ＷＡがドレン水案内部材５０の流路５０ｃ及び表面を伝ってその下端まで流通し、ドレン水ＷＡをより円滑に蒸発皿３０へ案内することができる。尚、ドレン水案内部材５０の内部に流路５０ｃを設ける場合は、ドレン孔挿通部５０ａの外径とドレン孔１１ｅの内径との間に隙間を設けなくても、ドレン水ＷＡをドレン水案内部材５０の下端まで流通させることができる。
【００２８】
尚、図１０及び１１に示すように、板状のドレン水案内部６０をドレン孔１１ｅの開口縁から下方に延びるように設けてもよい。ここで、ドレン水案内部６０はパッキン１０とは別体に形成された部材であり、ドレン水案内部材６０の幅寸法をドレン孔１１ｅの内径よりもやや大きく成形するとともに、ドレン水案内部材６０をドレン孔１１ｅに圧入することにより、ドレン水案内部材６０がドレン孔１１ｅに固定されている。これにより、ドレン水ＷＡはドレン孔１１ｅの上側開口縁に到達するとドレン水案内部６０に接触し、ドレン水案内部６０を伝ってドレン孔１１ｅを通過するとともに、ドレン水案内部６０の下端まで流通するので、ドレン水ＷＡが常にドレン水案内部材６０の下端から滴下し、ドレン水ＷＡを確実に蒸発皿３０に案内することができる。
【００２９】
また、ドレン水案内部を上端側がドレン孔１１ｅの開口縁に支持された円柱状や多角柱状の部材とすることも可能である。さらに、ドレン水案内部の内部に上端側から下端側までドレン水ＷＡを流通可能な流路を設け、流路を伝ってドレン水ＷＡを蒸発皿３０に滴下させることも可能である。また、図１０では、ドレン水案内部６０の上端がドレン孔１１ｅの上側開口縁の上方に突出するものを示したが、ドレン水案内部６０の上端がドレン孔１１ｅの上側開口縁の上方に突出しないものでも同様の効果が期待できる。
【図面の簡単な説明】
【００３０】
【図１】本発明の一実施形態を示す自動販売機の全体斜視図
【図２】外扉及び内扉を開放した自動販売機の全体斜視図
【図３】自動販売機の側面断面図
【図４】パッキンの要部斜視図
【図５】内扉から滴下するドレン水をドレン受けによって受容した状態を示すパッキンの要部斜視図
【図６】ドレン受けからドレン水が滴下する状態を示すパッキンの要部正面断面図
【図７】本実施形態の変形例を示すドレン水案内部材の斜視図
【図８】本実施形態の他の変形例を示すドレン水案内部材の斜視図
【図９】ドレン受けからドレン水が滴下する状態を示すパッキンの要部正面断面図
【図１０】本実施形態のさらに他の変形例を示すドレン受けからドレン水が滴下する状態を示すパッキンの要部正面断面図
【図１１】図１０におけるＡ方向矢視図
【符号の説明】
【００３１】
１…自動販売機本体、２…外扉、３…商品収納庫、４…内扉、１０…パッキン、１１ｃ…ドレン受け、１１ｅ…ドレン孔、２０…ドレン水案内部材、２０ａ…ドレン孔挿通部、２０ｂ…ドレン孔係止部、３０…蒸発皿、４０…ドレン水案内部材、４０ａ…ドレン孔挿通部、４０ｂ…ドレン孔係止部、４０ｃ…抜止め部、５０…ドレン水案内部材、５０ａ…ドレン孔挿通部、５０ｂ…ドレン孔係止部、５０ｃ…流路、６０…ドレン水案内部、ＷＡ…ドレン水。
【図１】
2006079163.tif 000003
【図２】
2006079163.tif 000004
【図３】
2006079163.tif 000005
【図４】
2006079163.tif 000006
【図５】
2006079163.tif 000007
【図６】
2006079163.tif 000008
【図７】
2006079163.tif 000009
【図８】
2006079163.tif 000010
【図９】
2006079163.tif 000011
【図１０】
2006079163.tif 000012
【図１１】
2006079163.tif 000013